(57)【特許請求の範囲】
【請求項１】
内ドレナージ管と、外スリーブと、前記内ドレナージ管を前記外スリーブ内に取り付けるための連接具と、を備え、前記内ドレナージ管は、後端が開口するように設けられており、前記内ドレナージ管の先端の管壁には、少なくとも一つの内ドレナージ穴が設けられている二スリーブドレナージ管において、
前記外スリーブは、外導管と、内導管と、複数の支持枠と、を備え、
前記外導管は、前記支持枠を介して前記内導管の外側に取り付けられており、
前記外導管の管壁には、少なくとも一つのドレナージ溝が形成され、
前記外導管の管壁には、前記支持枠内を通って前記内導管の内側まで連通する中間ドレナージ穴が設けられ、
前記内導管の管壁には、外ドレナージ穴が設けられ、
前記ドレナージ溝が複数の場合、全ての前記ドレナージ溝は互いに平行し、
前記ドレナージ溝の長さ方向は前記外スリーブの長さ方向と一致することを特徴とする、
二スリーブドレナージ管。
【請求項２】
各前記ドレナージ溝は、前記外スリーブの先端に至ることを特徴とする、請求項１に記載の二スリーブドレナージ管。
【請求項３】
更に、圧力センサを備え、前記内ドレナージ管または前記外スリーブの管壁には、前記圧力センサと連通する圧力監視測定通路が設けられていることを特徴とする、請求項１に記載の二スリーブドレナージ管。
【請求項４】
前記圧力監視測定通路は、前記内ドレナージ管または前記外スリーブの先端に至ることを特徴とする、請求項３に記載の二スリーブドレナージ管。
【請求項５】
前記内ドレナージ管または前記外スリーブの管壁には、外部の液体輸送バッグと接続可能な液体輸送通路が設けられていることを特徴とする、請求項１に記載の二スリーブドレナージ管。
【請求項６】
前記液体輸送通路は、前記内ドレナージ管または前記外スリーブの先端に至ることを特徴とする、請求項５に記載の二スリーブドレナージ管。
【請求項７】
前記外スリーブはプラグを備え、前記プラグは、係りヘッドと、塞ぎ体と、を備え、前記係りヘッドは、前記内導管の先端の開口と係合して封止し、前記塞ぎ体は前記外導管の先端部に対応することを特徴とする、請求項１に記載の二スリーブドレナージ管。
【請求項８】
前記連接具は、互いに合わせて密封する、雌継ぎ手と、雄継ぎ手と、を備え、前記雌継ぎ手は前記外スリーブに固定されており、前記雄継ぎ手は前記内ドレナージ管に固定されており、前記雌継ぎ手と前記雄継ぎ手を合わせて連接することにより、前記外スリーブ内に前記内ドレナージ管を取り付けることを実現可能であることを特徴とする、請求項１に記載の二スリーブドレナージ管。
【発明の詳細な説明】
【技術分野】
【０００１】
本発明は、負圧ドレナージ管に関し、特に、ドレナージ穴が塞がれることを有効に防止可能であると共に、傷口の負圧の大きさを即時に監視し測定可能であり、傷口の負圧が大きすぎて体内の組織または器官を損傷することを回避可能な二スリーブドレナージ管に関するものである。
【背景技術】
【０００２】
手術によって治療する過程中に、病巣や傷口に血腫、膿汁、組織液、又は分泌物が溜まることがある。これらの液体及び壊死組織の屑を速く除去しないと、手術後の傷口の治療に悪影響があり、酷い場合には、傷口が悪化する虞がある。目下、より有効な解決対策は、負圧ドレナージ技術により、これらの液体及び壊死組織の屑をガイドして排出する。すなわち、手術の過程中に、一本の負圧ドレナージ管を傷口に差し込んで、負圧ドレナージ管により、これらの液体及び壊死組織の屑をドレナージして排出する。
【０００３】
しかしながら、一般的には、病巣や傷口に殘留組織（血餅または除去された組織）が残り、負圧ドレナージ管によって吸引する過程中には、負圧ドレナージ管の底端にあるドレナージ穴が残留組織に塞がれやすい。これにより、負圧ドレナージ管を正常に稼動することができなくなり、手術を正常に行うことができない。
【発明の概要】
【発明が解決しようとする課題】
【０００４】
本発明の目的は、ドレナージ穴が塞がれることを有効に防止可能であると共に、傷口の負圧の大きさを即時に監視し測定可能であり、傷口の負圧が大きすぎて体内の組織または器官を損傷することを回避可能な二スリーブドレナージ管を提供することにある。
【課題を解決するための手段】
【０００５】
本発明の二スリーブドレナージ管は、内ドレナージ管と、外スリーブと、内ドレナージ管を外スリーブ内に取り付けるための連接具と、を備え、内ドレナージ管は、先端が封止するように設けられており、内ドレナージ管の先端の管壁には、少なくとも一つの内ドレナージ穴が設けられている二スリーブドレナージ管において、外スリーブの管壁には、少なくとも一つのドレナージ溝が設けられていることを特徴とする。
【０００６】
本発明の二スリーブドレナージ管は、全てのドレナージ溝は互いに平行するように設けられており、ドレナージ溝の長さ方向は外スリーブの長さ方向と一致することを特徴とする。
【０００７】
本発明の二スリーブドレナージ管は、各ドレナージ溝が外スリーブの先端に至ることを特徴とする。
【０００８】
本発明の二スリーブドレナージ管は、更に、圧力センサを備え、内ドレナージ管または外スリーブの管壁には、圧力センサと連通する圧力監視測定通路が設けられていることを特徴とする。
【０００９】
本発明の二スリーブドレナージ管は、圧力監視測定通路が内ドレナージ管または外スリーブの先端に至ることを特徴とする。
【００１０】
本発明の二スリーブドレナージ管は、内ドレナージ管または外スリーブの管壁には、外部の液体輸送バッグと接続可能な液体輸送通路が設けられていることを特徴とする。
【００１１】
本発明の二スリーブドレナージ管は、液体輸送通路が内ドレナージ管または外スリーブの先端に至ることを特徴とする。
【００１２】
本発明の二スリーブドレナージ管は、外スリーブは、外導管と、内導管と、複数の支持枠と、を備え、外導管は、後端が開口するように設けられており、先端が封止するように設けられており、その管壁にドレナージ溝が形成され、内導管は、支持枠を介して外導管内に取り付けられており、内導管の管壁に外ドレナージ穴が設けられていることを特徴とする。
【００１３】
本発明の二スリーブドレナージ管は、外スリーブは、外導管と、内導管と、複数の支持枠と、プラグと、を備え、外導管は、両端がそれぞれ開口するように設けられており、その管壁にドレナージ溝が形成され、内導管は、支持枠を介して外導管内に取り付けられており、内導管の管壁に少なくとも一つの外ドレナージ穴が設けられており、プラグは、係りヘッドと、塞ぎ体と、を備え、係りヘッドは、内導管の先端の開口と係合して封止し、塞ぎ体は外導管の先端部に対応することを特徴とする。
【００１４】
本発明の二スリーブドレナージ管は、連接具は、互いに合わせて密封する、雄継ぎ手と、雌継ぎ手と、を備え、雌継ぎ手は外スリーブに固定されており、雄継ぎ手は、内ドレナージ管に固定されており、雌継ぎ手と雄継ぎ手を合わせて連接することにより、外スリーブ内に内ドレナージ管を取り付けることを実現可能であることを特徴とする。
【発明の効果】
【００１５】
本発明の二スリーブドレナージ管には次のような効果がある。
（１）本発明に係る外スリーブの管壁にドレナージ溝が複数設けられており、ドレナージ溝がより長いため、体内のフィルム状を呈する組織、又はより大きい壊死組織が外スリーブに設けられているドレナージ穴に貼り付くことを有効に回避可能であり、廃液を正常に排出可能である。
【００１６】
（２）本発明に係る外スリーブの管体は、外導管と、内導管と、支持枠とから構成される。チューブヘッドによって内導管の先端の開口を封止することにより、管体が絞りにくいと共に、廃液を正常に排出可能である。
【００１７】
（３）本発明に係る内ドレナージ管または外スリーブに圧力監視測定通路が設けられている。圧力監視測定通路は圧力センサと連接する。負圧によりドレナージするときには、圧力センサにより、手術の傷口の実際の負圧の大きさを即時に監視し測定可能である。傷口の負圧が大きすぎて体内の組織または器官を損傷することを回避可能である。（傷口の実際の負圧は、圧力ポンプの出力圧力と差がある。）
【００１８】
（４）本発明に係る内ドレナージ管または外スリーブに液体輸送通路が設けられている。内ドレナージ管により、傷口に洗浄液や消毒液を注入可能である。傷口を洗浄するための洗浄管を増設する必要がないため、医者は手術を容易に実行可能である。
【図面の簡単な説明】
【００１９】
【図１】本発明に係る二スリーブドレナージ管の構造を示す図である。
【図２】本発明に係る内ドレナージ管の構造を示す図である。
【図３】本発明に係る外スリーブの構造を示す図である。
【図４】本発明に係る外スリーブを示す断面図である。
【発明を実施するための形態】
【００２０】
以下、本発明の実施の形態を図面に基づいて説明する。本発明の方向は図１を標準とする。
【００２１】
図１を参照する。本発明に係る二スリーブドレナージ管は、内ドレナージ管１と、外スリーブ２と、連接具３と、圧力センサ４と、を備える。内ドレナージ管１は、一端が外部の負圧源と連通し、他端が外スリーブ２内に延び込む。
内ドレナージ管１は、負圧によって手術の傷口にある廃液をドレナージするためのものである。外スリーブ２は、体内のフィルム状を呈する組織、又はより大きい壞死組織が内ドレナージ管１を塞ぐことを防止するためのものである。連接具３は、外スリーブ２内に内ドレナージ管１を取り付けるためのものである。圧力センサ４は、負圧によって手術の傷口をドレナージするときの実際の負圧の大きさを監視し測定するためのものである。
【００２２】
図２を参照する。内ドレナージ管１は、シリコンで作製され、後端が外部の負圧源と接続し、先端の管壁には、複数の内ドレナージ穴１１が距離を置いて設けられている。内ドレナージ管１の先端は、外スリーブ２に嵌め込まれている。
【００２３】
図３及び図４を参照する。外スリーブ２は、外導管２１と、内導管２２と、支持枠２３と、プラグ２４と、を備える。
外導管２１は、シリコンで作製され、両端がそれぞれ開口するように設けられている。外導管２１の管壁には、内外に貫通するドレナージ溝２５が複数設けられている。全てのドレナージ溝２５は、互いに平行するように設けられている。ドレナージ溝２５の長さ方向は、外導管２１の長さ方向と一致する。各ドレナージ溝２５の先端は外導管２１の端部に延びる。
内導管２２は、シリコンで作製され、両端がそれぞれ開口するように設けられている。内導管２２は、支持枠２３を介して外導管２１の内部に設けられており、且つ外導管２１のドレナージ溝２５に対応するセクションに位置する。内導管２２は外導管２１の内壁と連接することにより、通路が形成される。内導管２２の管壁の各ドレナージ溝２５に対応する位置には、内外に貫穿する外ドレナージ穴２６がそれぞれ複数設けられている。内導管２２の管壁には、圧力監視測定通路２２１と液体輸送通路２２２とが設けられている。圧力監視測定通路２２１と液体輸送通路２２２との長さ方向は、内導管２２の長さ方向と一致する。圧力監視測定通路２２１と液体輸送通路２２２との先端は、それぞれ内導管２２の先端の端部に位置する。
支持枠２３は四つある。支持枠２３の長さ方向は、外導管２１の長さ方向と一致する。支持枠２３、内導管２２及び外導管２を連接する位置には、内外に貫穿する中間ドレナージ穴２７が設けられている。
プラグ２４は、内導管２２の先端の端部の開口と係合する。プラグ２４は、シリコンで作製され、係りヘッド２８と、塞ぎ体２９と、を備える。係りヘッド２８は、内導管２２の先端の開口に差し込んで封止可能である。塞ぎ体２９は、外導管２１の先端部に対応し、その端面と外導管２１の先端面との間に隙間が形成される。
【００２４】
連接具３は、互いに合わせて密封する、雌継ぎ手３１と、雄継ぎ手３２と、を備える。雌継ぎ手３１は外スリーブ２の右端部に固定されている。雌継ぎ手３１には、更に、圧力監視測定通路２２１と連通する圧力継ぎ手３３と、液体輸送通路２２２と連通する液体輸送継ぎ手３４とが設けられている。雄継ぎ手３２は内ドレナージ管１の外壁の中央に固定されている。雌継ぎ手３１と雄継ぎ手３２を合わせて連接することにより、外スリーブ２内に内ドレナージ管１の先端を取り付けることが実現される。
【００２５】
圧力センサ４は、連接具３の圧力継ぎ手３３と連通する。圧力センサ４により、手術の傷口の実際の負圧を即時に監視し測定可能である。これにより、手術の傷口の負圧が大きすぎて体内の組織または器官を損傷することを回避可能である（傷口の実際の負圧は、圧力ポンプの出力圧力と一定の差があることは一般的である。）。そして圧力センサ４による圧力監視測定のデータによって、本装置が塞がれるかどうかを判断可能である（圧力センサ４による圧力監視測定のデータが急に上昇する場合には、本装置が塞がれる。）。
【００２６】
負圧によってドレナージしようとするときには、まず、連接具３を介して内ドレナージ管１及び外スリーブ２を取り付けると同時に、内ドレナージ管１の先端の端部を外スリーブ２の先端の端部に出来る限り近接する。次に、手術の傷口に外スリーブ２の先端を差し込んで、外ドレナージ穴２６と中間ドレナージ穴２７とにより、内導管２２内に手術の傷口にある液体をガイドして進入させて、最後に、内ドレナージ管１の負圧によるドレナージによって液体を排出する。このとき、圧力監視測定通路２２１を圧力センサ４に接続することにより、手術の傷口の実際の圧力を即時に監視し測定することが可能である。外部の液体輸送瓶または液体輸送バッグに液体輸送通路２２２を接続することにより、手術の傷口に対して洗浄及び消毒を実行可能である。
【００２７】
一方、本発明に係る圧力監視測定通路２２１と液体輸送通路２２２とは、内ドレナージ管１の管壁に設けられており、連接具３の雄継ぎ手３２には、圧力監視測定通路２２１と連通する圧力継ぎ手３３と、液体輸送通路２２２と連通する液体輸送継ぎ手３４とが設けられていてもよい。
【００２８】
以上は本発明の好適な実施方式にすぎず、本発明はこれらに限定されない。実施の過程中に、その構成のごく一部を改修することが可能であり、各種の改修及び変形は、本発明の精神及び範囲を逸脱せず、且つ本発明の特許請求の範囲及び同じ技術的範囲に属すれば、本発明は、これらの改修及び変形を含む意図がある。
【符号の説明】
【００２９】
１      内ドレナージ管
２      外スリーブ
３      連接具
４      圧力センサ
１１    内ドレナージ穴
２１    外導管
２２    内導管
２３    支持枠
２４    プラグ
２５    ドレナージ溝
２６    外ドレナージ穴
２７    中間ドレナージ穴
２８    係りヘッド
２９    塞ぎ体
３１    雌継ぎ手
３２    雄継ぎ手
３３    圧力継ぎ手
３４    液体輸送継ぎ手
２２１  圧力監視測定通路
２２２  液体輸送通路
【図１】
0006527634.tif 000002
【図２】
0006527634.tif 000003
【図３】
0006527634.tif 000004
【図４】
0006527634.tif 000005